【手続補正書】
【提出日】平成29年7月12日(2017.7.12)
【手続補正１】
【補正対象書類名】特許請求の範囲
【補正対象項目名】全文
【補正方法】変更
【補正の内容】
【特許請求の範囲】
【請求項１】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、
前記遊技盤は、少なくとも、
前記主制御基板のマイクロプロセッサにより駆動制御されて各種機能表示を行う表示素子が一定個数集約されて実装されるとともに、遊技機の仕様が異なる機種間において、それら一定個数の表示素子が各種機能表示にそれぞれ割り当てられることにより共通に使用可能とされ、かつ、前記遊技盤の前記非遊技領域に配置される機能表示基板を備え、
当該遊技盤の前面であって前記機能表示基板の前側の位置に、各種機能表示部が印刷された機能表示手段が取り付けられ、
前記機能表示基板にそれぞれ一定個数集約されて実装される表示素子は、少なくとも、
前記遊技領域に設けられた第１始動入賞口に遊技球が入球して大当り遊技状態の発生の有無を所定の第１特別図柄として変動表示する第１特別図柄表示素子と、
前記遊技領域に設けられた前記第１始動入賞口に遊技球が入球して前記第１特別図柄表示素子で第１特別図柄が変動表示されないときには第１保留数として表示する第１特別図柄記憶表示素子と、
前記遊技領域に設けられた第２始動入賞口に遊技球が入球して大当り遊技状態の発生の有無を所定の第２特別図柄として変動表示する第２特別図柄表示素子と、
前記遊技領域に設けられた前記第２始動入賞口に遊技球が入球して前記第２特別図柄表示素子で第２特別図柄が変動表示されないときには第２保留数として表示する第２特別図柄記憶表示素子と、
前記遊技領域に設けられたゲートに遊技球が通過して開閉部材の開閉の有無を所定の普通図柄として変動表示する普通図柄表示素子と、
前記遊技領域に設けられたゲートに遊技球が通過して前記普通図柄表示素子で普通図柄が変動表示されないときには保留数として表示する普通図柄記憶表示素子と、
現在の遊技状態を表示しうる遊技状態表示素子と、
前記遊技領域に設けられた大入賞口に遊技球が入球することができない状態から入球しやすい状態となるラウンド数を表示するラウンド表示素子と、に割り当てられ、
前記開閉部材は、前記第２始動入賞口への入球頻度を変化させるものであって、前記第１特別図柄表示素子および前記第２特別図柄表示素子は各々複数の素子で構成されているとともに、前記第１特別図柄表示素子を構成する素子の数と、前記第２特別図柄表示素子を構成する素子の数は同じ素子数で構成し、
前記機能表示手段は、
その表面に、前記機能表示手段の管理符号が視認可能に印刷されている
ことを特徴とする遊技機。
【手続補正２】
【補正対象書類名】明細書
【補正対象項目名】０００１
【補正方法】変更
【補正の内容】
【０００１】
本発明は、異なる仕様に対応できる遊技機に関するものである。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００９
【補正方法】変更
【補正の内容】
【０００９】
パチンコ遊技機を製造するメーカの作業者は、多仕様のパチンコ遊技機を組み立てるため、作業ミスが頻発することで、生産性が低下して生産計画に支障をきたすこととなる。
【手続補正８】
【補正対象書類名】明細書
【補正対象項目名】００１０
【補正方法】変更
【補正の内容】
【００１０】
本発明は、このような事情に鑑みてなされたものであり、その目的とするところは、作業ミスを防止することで生産性の向上に寄与することができるパチンコ遊技機を提供することにある。
【手続補正９】
【補正対象書類名】明細書
【補正対象項目名】００１２
【補正方法】変更
【補正の内容】
【００１２】
遊技球が打ち込まれることが可能な遊技領域と該遊技領域とは異なる非遊技領域とを有する遊技盤と、該遊技盤の裏面に取り付けられ、かつ、遊技の進行を制御するマイクロプロセッサが実装される主制御基板と、を備える遊技機であって、前記遊技盤は、少なくとも、前記主制御基板のマイクロプロセッサにより駆動制御されて各種機能表示を行う表示素子が一定個数集約されて実装されるとともに、遊技機の仕様が異なる機種間において、それら一定個数の表示素子が各種機能表示にそれぞれ割り当てられることにより共通に使用可能とされ、かつ、前記遊技盤の前記非遊技領域に配置される機能表示基板を備え、当該遊技盤の前面であって前記機能表示基板の前側の位置に、各種機能表示部が印刷された機能表示手段が取り付けられ、前記機能表示基板にそれぞれ一定個数集約されて実装される表示素子は、少なくとも、前記遊技領域に設けられた第１始動入賞口に遊技球が入球して大当り遊技状態の発生の有無を所定の第１特別図柄として変動表示する第１特別図柄表示素子と、前記遊技領域に設けられた前記第１始動入賞口に遊技球が入球して前記第１特別図柄表示素子で第１特別図柄が変動表示されないときには第１保留数として表示する第１特別図柄記憶表示素子と、前記遊技領域に設けられた第２始動入賞口に遊技球が入球して大当り遊技状態の発生の有無を所定の第２特別図柄として変動表示する第２特別図柄表示素子と、前記遊技領域に設けられた前記第２始動入賞口に遊技球が入球して前記第２特別図柄表示素子で第２特別図柄が変動表示されないときには第２保留数として表示する第２特別図柄記憶表示素子と、前記遊技領域に設けられたゲートに遊技球が通過して開閉部材の開閉の有無を所定の普通図柄として変動表示する普通図柄表示素子と、前記遊技領域に設けられたゲートに遊技球が通過して前記普通図柄表示素子で普通図柄が変動表示されないときには保留数として表示する普通図柄記憶表示素子と、現在の遊技状態を表示しうる遊技状態表示素子と、前記遊技領域に設けられた大入賞口に遊技球が入球することができない状態から入球しやすい状態となるラウンド数を表示するラウンド表示素子と、に割り当てられ、前記開閉部材は、前記第２始動入賞口への入球頻度を変化させるものであって、前記第１特別図柄表示素子および前記第２特別図柄表示素子は各々複数の素子で構成されているとともに、前記第１特別図柄表示素子を構成する素子の数と、前記第２特別図柄表示素子を構成する素子の数は同じ素子数で構成し、前記機能表示手段は、その表面に、前記機能表示手段の管理符号が視認可能に印刷されていることを特徴とする遊技機。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】変更
【補正の内容】
【００２９】
本発明によれば、作業ミスを防止することで生産性の向上に寄与することができる。